(57)【要約】【課題】案内係の負担を軽減しながらＶＩＰのスケジュールに合わせてエレベータ号機を準備することができるようにしたＶＩＰ機能付エレベータ装置を提供する。【解決手段】予め登録した端末装置からの予約メッセージを受信する受信部２と、受信部２で受信した予約メッセージから予約時間要素と階床要素を抽出して登録する予約運転登録部６と、予約運転登録部６に登録された予約時間要素と階床要素データに基づきエレベータの運転制御を行うかご運転制御部７とを有した。【選択図】図１
2014234303.tif 000002
【特許請求の範囲】
【請求項１】
複数台のエレベータが設置され、そのうちの一台の号機は、ＶＩＰ呼びに対して優先的に応答し、またはＶＩＰ専用の号機としてＶＩＰ呼びにのみ応答してサービスを行なうＶＩＰ機能付エレベータ装置において、
予め登録した端末装置からの予約メッセージを受信する受信部と、前記受信部で受信した予約メッセージから予約時間要素と階床要素を抽出して登録する予約運転登録部と、前記予約運転登録部に登録された予約時間要素と階床要素データに基づきエレベータの運転制御を行うかご運転制御部とを有したことを特徴とするＶＩＰ機能付エレベータ装置。
【発明の詳細な説明】
【技術分野】
【０００１】
本発明は、ＶＩＰ機能付エレベータ装置に関する。
【背景技術】
【０００２】
ＶＩＰ機能付エレベータ装置は、ビル内で複数のエレベータが稼動しているとき、その中の特定あるいは任意の号機エレベータをＶＩＰ専用としてサービスを行うもので、重要顧客あるいは重要来客をＶＩＰとしてもてなさなければならないビルにおいて、利用されている（特許文献１参照）。
【先行技術文献】
【特許文献】
【０００３】
【特許文献１】特開昭６３−２０８４８３号公報
【発明の概要】
【発明が解決しようとする課題】
【０００４】
しかしながら、従来のＶＩＰ機能付エレベータ装置における運転は、ＶＩＰがエレベータを使用する前に、案内係がＶＩＰボタンを押してＶＩＰ専用エレベータを呼び寄せておく必要があるため、案内係の負担が大きくなっていた。
【０００５】
本発明の目的は、案内係の負担を軽減しながらＶＩＰのスケジュールに合わせてエレベータ号機を準備することができるようにしたＶＩＰ機能付エレベータ装置を提供することにある。
【課題を解決するための手段】
【０００６】
本発明は上記目的を達成するために、複数台のエレベータが設置され、そのうちの一台の号機は、ＶＩＰ呼びに対して優先的に応答し、またはＶＩＰ専用の号機としてＶＩＰ呼びにのみ応答してサービスを行なうＶＩＰ機能付エレベータ装置において、予め登録した端末装置からの予約メッセージを受信する受信部と、前記受信部で受信した予約メッセージから予約時間要素と階床要素を抽出して登録する予約運転登録部と、前記予約運転登録部に登録された予約時間要素と階床要素データに基づきエレベータの運転制御を行うかご運転制御部とを有したことを特徴とする。
【発明の効果】
【０００７】
このような構成のＶＩＰ機能付エレベータ装置によれば、ＶＩＰのスケジュールを把握している案内係が、スケジュール通りにエレベータ号機が運転されるようにＶＩＰ専用呼びボタンを押して呼び寄せる必要がなくなり、端末装置を使用して簡単に登録しておくだけで、自動的にスケジュールに合わせたエレベータ号機の運行を行うことができるようになり、案内係の負担を軽減することができる。
【図面の簡単な説明】
【０００８】
【図１】本発明の一実施の形態によるＶＩＰ機能付エレベータ装置の要部を示す機能ブロック図である。
【図２】端末装置の画面を示す正面図である。
【図３】図１に示したＶＩＰ機能付エレベータ装置のエレベータ制御装置における処理動作を示すフローチャートである。
【図４】図１に示したＶＩＰ機能付エレベータ装置の運行スケジュールを示す模式図である。
【発明を実施するための形態】
【０００９】
以下、本発明の実施の形態を図面に基づいて説明する。
【００１０】
図１は、本発明の一実施の形態によるＶＩＰ機能付エレベータ装置のエレベータ制御装置を示す機能ブロック図である。
【００１１】
エレベータ制御装置は、通常の構成要素とは別に、ＶＩＰが所有するスマートホンなどの端末装置からの予約メッセージを受信したときに処理動作を行うプログラムを格納した記憶部１と、ＶＩＰが所有するスマートホンなどの端末装置からの予約メッセージを受信する受信部２と、受信部２で受信した予約メッセージが予め登録されたＶＩＰからのものかどうかを判定する判定部３と、予め登録したＶＩＰの識別要素を登録したデータテーブル４と、受信部２で受信した予約メッセージから予約時間要素と出向く階床要素を抽出する解析部５と、解析部５による結果を登録する予約運転登録部６と、通常の運行管理を行うが、優先的に予約運転登録部６に登録された予約時間要素と階床要素データに基づきＶＩＰ機能付エレベータ装置を運転制御するかご運転制御部７と、これら各部を制御する制御部８とを有している。
【００１２】
図２は、ＶＩＰが所有するスマートホンなどの端末装置の画面を示す正面図である。
【００１３】
端末装置の画面９には、当該ＶＩＰ機能付エレベータ装置が設置されたビル内におけるＶＩＰの本日の予定として、時間要素と階床要素が書き込まれている。この予約メッセージは、（１）８：５０  出社、（２）９：００〜９：５０  会議２ＦＬ、（３）１０：００〜１０：５０  会議１０ＦＬ、（４）１１：００  退社、というものである。
【００１４】
図３は、上述したＶＩＰ機能付エレベータ装置のエレベータ制御装置における処理動作を示すフローチャートである。
【００１５】
当該ビルには複数台のエレベータが設置され、そのうちの一台の号機は、ＶＩＰ呼びに対して優先的に応答してサービスを行ったり、またはＶＩＰ専用の号機としてＶＩＰ呼びにのみ応答してサービスを行なうようにしている。
【００１６】
先ず、ステップＳ１で受信部２は、ＶＩＰが所有するスマートホンなどの端末装置からの予約メッセージの受信待ち状態となっている。ここで、端末装置から図２に示した予約メッセージを訪問先のビルのサーバーに送信したとする。受信部２がこの予約メッセージを受信すると、判定部３は、ステップＳ２で受信した送信先の識別要素が予めデータテーブル３に登録したＶＩＰの識別要素として登録されているかどうかを判定する。登録されている場合は、ＶＩＰからの予約メッセージとして解析部５に渡す。
【００１７】
解析部５は、ステップＳ３で予約メッセージから時間要素と階床要素を抽出する。図２に示した予約メッセージは予め設定したプログラムに従って作成されたもので、（１）では８時５０分にＶＩＰが出社するので、エレベータに乗り込むＢ１階で待機し、（２）ではＢ１階でＶＩＰが乗り込んだ後、９時から２階で会議というものである。また（２）では２階での会議が９時５０分に終了するので２階で待機し、（３）では２階でＶＩＰが乗り込んだ後、１０時から１０階で会議というものである。さらに、（３）では１０階での会議が１０時５０分に終了するので１０階で待機し、（４）では１０階でＶＩＰが乗り込んだ後、退社するためＢ１階へと移動するというものである。
【００１８】
そこで、解析部５は、ステップＳ３で予め設定したプログラムに従って、「８時５０分」に「Ｂ１階」で待機し、ＶＩＰが乗り込んだ後、「２階」へ、「９時５０分」に「２階」で待機し、ＶＩＰが乗り込んだ後、「１０階」へ、「１０時５０分」に「１０階」で待機し、ＶＩＰが乗り込んだ後、「Ｂ１階」へ、という時間要素と階床要素を抽出する。
【００１９】
その後、予約運転登録部６は、ステップＳ４で解析部５による結果を運行スケジュールとして登録する。かご運転制御部７はその都度、時間要素と共に階床要素データを抽出し、ＶＩＰ呼びに対して優先的に応答するように号機、またはＶＩＰ専用の号機に対してそれに合致する運行制御を行う。
【００２０】
図４は、このときの運行スケジュールを模式的に示している。
【００２１】
縦方向に階床を、横方向に時間を示している。８時５０分にＢ１階で待機し、出社してきたＶＩＰ１０が乗り込んだ後、乗りかご１１を２階へと上昇させる。２階で９時５０分に待機し、ＶＩＰ１０が乗り込んだ後、１０階へ上昇させる。さらに、１０時５０分に１０階で待機し、ＶＩＰ１０が乗り込んだ後、Ｂ１階へと下降させる。この予約された時間帯以外ではＶＩＰ呼びされた場合と同様にＶＩＰ優先の運転を行い、その他の時間帯では他の用途での運行が可能である。
【００２２】
尚、上述した実施の形態では、端末装置からＶＩＰ機能付エレベータ装置へ送信するスケジュールは、当日のスケジュールとして説明したが、これに限るものではない。また変更も可能なようにプログラムすることも可能である。
【００２３】
以上説明したように本発明のＶＩＰ機能付エレベータ装置は、複数台のエレベータが設置され、そのうちの一台の号機は、ＶＩＰ呼びに対して優先的に応答し、またはＶＩＰ専用の号機としてＶＩＰ呼びにのみ応答してサービスを行なうＶＩＰ機能付エレベータ装置において、予め登録した端末装置からの予約メッセージを受信する受信部２と、受信部２で受信した予約メッセージから予約時間要素と階床要素を抽出して登録する予約運転登録部６と、予約運転登録部６に登録された予約時間要素と階床要素データに基づきエレベータの運転制御を行うかご運転制御部７とを有したことを特徴とする。
【００２４】
このようなＶＩＰ機能付エレベータ装置によれば、ＶＩＰのスケジュールを把握している案内係が、スケジュール通りにエレベータ号機が運転されるようにＶＩＰ専用呼びボタンを押して呼び寄せる必要がなくなり、端末装置を使用して簡単に登録しておくだけで、自動的にスケジュールに合わせたエレベータ号機の運行を行うことができるようになり、案内係の負担を軽減することができる。
【符号の説明】
【００２５】
２    受信部
３    判定部
４    データテーブル
５    解析部
６    予約運転登録部
７    かご運転制御部
【図１】
2014234303.tif 000003
【図２】
2014234303.tif 000004
【図３】
2014234303.tif 000005
【図４】
2014234303.tif 000006